(57)【要約】【課題】  貯湯タンク内に貯まっている湯水を排水口より排水する際に排水口の周囲に残水が発生するのを防止することができる貯湯式給湯機を提供する。【解決手段】  給水口１４及び吐出口１５を備えた貯湯タンク１に該貯湯タンク１に貯められる湯水を加熱する加熱手段４を備えるとともに、前記貯湯タンク１の底部１３に排水口２を形成した貯湯式給湯機において、貯湯タンク１の底部１３の前記排水口２を形成した部分の周囲に該排水口２に近づく程下方に位置するように傾斜する傾斜部３を形成した。【選択図】        図１
2007132626.tif 000002
【特許請求の範囲】
【請求項１】
給水口及び吐出口を備えた貯湯タンクに該貯湯タンク内に貯められる湯水を加熱する加熱手段を備えるとともに、前記貯湯タンクの底部に排水口を形成した貯湯式給湯機において、貯湯タンクの底部の前記排水口を形成した部分の周囲に該排水口に近づく程下方に位置するように傾斜する傾斜部を形成して成ることを特徴とする貯湯式給湯機。
【請求項２】
貯湯タンクの底部を中央部側へ行く程低位置となるすり鉢状形状に形成するとともに、排水口を貯湯タンクの底部の中央部に形成して成ることを特徴とする請求項１記載の貯湯式給湯機。
【発明の詳細な説明】
【技術分野】
【０００１】
本発明は、貯湯タンクに湯水を貯める貯湯式給湯機に関する。
【背景技術】
【０００２】
従来より貯湯タンクを備えた貯湯式給湯機が用いられている（例えば特許文献１参照）。貯湯式給湯機は、内部に湯水を貯めるための貯湯タンク１に給水口１４と吐出口１５が設けてあり、貯湯タンク１内に貯められる湯水を加熱する加熱手段４を備えたものである（図２参照）。加熱手段４としては、ヒートポンプや燃焼器等が挙げられるが（特許文献１に示す従来例ではヒートポンプ）、特に限定されないものである。この加熱手段４へ貯湯タンク１内の湯水を送る往管５１と貯湯タンク１へ湯を戻す復管５２とが貯湯タンク１に接続してある。
【０００３】
ところで、このような貯湯式給湯機にあっては、貯湯タンク１内に貯まっている湯水を排水するための排水口２が貯湯タンク１の底部１３に形成してある。貯湯タンク１は、略円筒状の側面部１１の上端と下端とに、それぞれ上方と下方とに膨らんだ曲面状の鏡板からなる頂部１２と底部１３とを溶接にて接合して形成してある。そして、貯湯タンク１の底部１３の最も低い位置となる中央部に排水口２を形成するとともに、排水口２に排水弁（不図示）を設けた排水管８を接続してある。
【特許文献１】特開２００３−２１４７１１号公報
【発明の開示】
【発明が解決しようとする課題】
【０００４】
しかしながら、この従来の貯湯式給湯機にあっては、貯湯タンク１の底部１３の前記排水口２を形成した部分の周囲は略水平面となっているため、貯湯タンク１内に貯まっている湯水を排水口２より排水する際、排水口２の周囲の水平面に表面張力により排水しきれない残水が発生してしまい、この残水によって貯湯タンク１の腐蝕が促進されるとともに雑菌等の発生が懸念されるものであった。
【０００５】
本発明はこのような点に鑑みなされたものであって、その目的とするところは、貯湯タンク１内に貯まっている湯水を排水口２より排水する際に排水口２の周囲に残水が発生するのを防止することができる貯湯式給湯機を提供することにある。
【課題を解決するための手段】
【０００６】
上記課題を解決するために請求項１に係る発明にあっては、給水口１４及び吐出口１５を備えた貯湯タンク１に該貯湯タンク１に貯められる湯水を加熱する加熱手段４を備えるとともに、前記貯湯タンク１の底部１３に排水口２を形成した貯湯式給湯機において、貯湯タンク１の底部１３の前記排水口２を形成した部分の周囲に該排水口２に近づく程下方に位置するように傾斜する傾斜部３を形成して成ることを特徴とするものである。
【０００７】
また、請求項２に係る発明にあっては、請求項１において、貯湯タンク１の底部１３を中央部側へ行く程低位置となるすり鉢形状に形成するとともに、排水口２を貯湯タンク１の底部１３の中央部に形成して成ることを特徴とするものである。
【発明の効果】
【０００８】
本発明にあっては、貯湯タンク内に貯まっている湯水を排水口より排水する際に排水口の周囲に残水が発生するのを防止することができて、残水によって貯湯タンクの腐蝕が促進したり雑菌等が発生したりするのを防止することが可能となる。
【発明を実施するための最良の形態】
【０００９】
以下、本発明を添付図面に示す実施形態に基づいて説明する。図２に本発明の貯湯式給湯機の全体構成図を示す。貯湯式給湯機は貯湯タンク１にて主体が構成される。
【００１０】
貯湯タンク１は、略筒状（本実施形態では円筒状）の側面部１１の上端と下端とに、深絞り加工にて形成される上方に凸となる滑らかな曲面形状をした鏡板からなる頂部１２と、同様に下方に凸となる滑らかな曲面状、あるいは貯湯タンク１の底部１３を中央部側へ行く程低位置となるすり鉢状形状に形成した鏡板からなる底部１３とを溶接によって接合することで形成してある。この貯湯タンク１には給水口１４及び吐出口１５を設けるもので、本実施形態では低温の水を供給するための給水口１４を貯湯タンク１の底部１３に設け、高温の湯を吐出するための吐出口１５を頂部１２に設けてある。給水口１４には、水道等と接続されている給水管１６の下流側端部が接続され、この給水管１６には給水栓１７及び減圧弁１８を設けて低圧の水を自在に貯湯タンク１に供給可能となっている。また、吐出口１５には給湯管１９の上流側端部が接続され、図示しないがこの給湯管１９の下流側に設けてあるカラン等の給湯栓を開閉することで貯湯タンク１の高温の湯が吐出口１５から外部へ供給される。
【００１１】
この貯湯式給湯機には加熱手段４が設けられる。加熱手段４は貯湯タンク１に貯められる湯水を加熱するもので、例えばヒートポンプや燃焼器等、特に限定されないものである。貯湯タンク１の底部１３に貯湯タンク１の底部１３の水を加熱手段４へと搬送するための往管５１の上流側端部を接続し、貯湯タンク１の頂部１２に加熱手段４で加熱した湯を貯湯タンク１に戻すための復管５２の下流側端部を接続してあり、往管５１の下流側端部及び復管５２の上流側端部は加熱手段４の熱交換部に接続されている。また、往管５１には水抜き用弁５３が設けてあるとともに、復管５２には逃がし弁５４が設けてある。
【００１２】
貯湯タンク１には、貯湯タンク１内に貯まっている湯水を排水するための排水口２が貯湯タンク１の底部１３の中央部に形成してある。すなわち、貯湯タンク１の下方に凸となる滑らかな曲面形状をした底部１３は中央部において最も低位置となるものであり、この最も低位置となる部分に排水口２を形成することで貯湯タンク１内の湯水を全て排水することが可能となる。
【００１３】
ただし、底部１３は上述した形状の鏡板にて形成されており、貯湯タンク１の底部１３の前記排水口２を形成した部分の周囲は略水平面となってこの水平面に残水が発生し易くなってしまうため、本発明においては傾斜部３を形成するものであり、以下に説明する。
【００１４】
本実施形態では、貯湯タンク１の底部１３の中央部をバーリング加工して開口１３ａ及び下方に突出する筒状部１３ｂとを形成し、この部分に内部が上下に挿通する排水口２となる略円筒状をした排水ニップル６を例えば溶接にて固定することで、貯湯タンク１の底部１３に排水口２を形成するものである。ここで、排水ニップル６を筒状部１３ｂに固定する際、排水ニップル６の上端が貯湯タンク１の底部１３よりも上方に突出しないようにするとともに、排水ニップル６と筒状部１３ｂとを溶接により接合する際、溶接ビード７が貯湯タンク１の底部１３よりも上方に突出しないようにする必要がある。これは、排水ニップル６の上端や溶接ビード７が貯湯タンク１の底部１３よりも上方に突出すると、排水ニップル６の中央部に形成される排水口２に流れようとする湯水が堰き止められてしまい、残水が発生してしまうからである。
【００１５】
図１（ｃ）に示す例では、ニップル６は、例えばねじ方式にて排水管８と連結するために外側面に雄ねじ６ａを備えた構成であるが、クイックファスナ（不図示）を用いて排水管８と固定するような場合には、特に雄ねじ６ａは不要である。
【００１６】
そして、貯湯タンク１の底部１３の排水口２を形成した部分の周囲に傾斜部３を形成するもので、本実施形態においては、排水ニップル６の上面の排水口２の周囲に、排水口２に近づく程下方に位置するように傾斜する傾斜部３を形成してある。通常の排水ニップル６においては、端面において排水口２の周縁に面取りを行うものであるが、この面取りはＣ０．５程度であるため、排水ニップル６の上面の排水口２の周囲には水平面が広く形成されたままとなってこの水平面に表面張力により排水しきれない残水が発生してしまう。そこで少なくともＣ１相当の傾斜面、更に説明すると、傾斜面の傾斜角度は水平面から４５°を中心に３０°〜６０°程度で、傾斜面の長さ（傾斜面に沿った上下方向の長さ）は１〜５ｍｍ程度の傾斜部３を形成することで、排水ニップル６の上面の排水口２の周囲に表面張力により排水しきれない水を自重により排水させやすくすることができ、残水が発生するのを防止することができる。
【００１７】
以上のような構成によれば、貯湯タンク１の底部１３の前記排水口２を形成した部分の周囲に該排水口２に近づく程下方に位置するように傾斜する傾斜部３を形成したことで、貯湯タンク１内に貯まっている湯水を排水する際、排水口２の周囲に残水が発生するのを防止することができるものである。
【００１８】
なお本発明は、貯湯式給湯機のみならず、様々なタンクにおいても底部１３の排水口２を形成した部分の周囲に該排水口２に近づく程下方に位置するように傾斜する傾斜部３を形成することで、上述した効果が得られるものである。
【００１９】
また、貯湯タンク１の底部１３の排水ニップル６が固定される部分にバーリング加工を施さず、通常の貫通孔を形成して排水ニップル６を固定するようにしてもよい。
【図面の簡単な説明】
【００２０】
【図１】本発明の一実施形態を示し、（ａ）は貯湯タンクの下面図であり、（ｂ）は貯湯タンクの下部の側面図であり、（ｃ）は（ｂ）の要部拡大断面図である。
【図２】貯湯式給湯機の全体構成図である。
【符号の説明】
【００２１】
１    貯湯タンク
１３  底部
１４  給水口
１５  吐出口
２    排水口
３    傾斜部
６    排水ニップル
【図１】
2007132626.tif 000003
【図２】
2007132626.tif 000004